(57)【特許請求の範囲】
【請求項１】
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、
一端側にフランジ部を有し、前記キー操作部として設けられる押圧キーと、
前記押圧キーの他端側が挿入される前側開口であって当該前側開口の縁部により前記押圧キーの前記フランジ部を受ける前記前側開口と、当該前側開口の周囲に前記押圧キーの押圧時のストロークを確保するリブとが設けられた、前側半体と、
前記接点部材の前記接点部と前記押圧キーの前記一端とが接離可能となる後側開口を有し、前記前側半体との間に前記押圧キーの前記フランジ部が介在されるように当該前側半体に対して取付けられる、後側半体とを含む
ことを特徴とする電子機器。
【請求項２】
前記キー部材は、当該キー部材の一の辺縁部に係止部を有し、
前記筐体は、
前記係止部と係合する係合部が、前記開口部の一の辺縁部に設けられ、
一の方向に移動可能であり前記キー部材の前記一の辺縁部に対向する他の辺縁部をロックするロック部が、前記開口部の前記一の辺縁部に対向する他の辺縁部に設けられている
ことを特徴とする請求項１に記載の電子機器。
【請求項３】
前記筐体は、
前記開口部の前記他の辺縁部に凹部が設けられ、
密着部材を受ける外周縁部を有する孔部が、前記凹部の左右両側に設けられ、
前記ロック部は、
前記凹部に配置される係止片と、
前記孔部に配置される前記密着部材と、
前記キー部材の前記他の辺縁部を保持することで当該キー部材の前記開口部への装着状態を保持するために前記係止片及び前記密着部材を覆うように配置される部材であって、前記密着部材内に挿入される取付け部により、前記一の方向に移動可能に、前記筐体の前記孔部に取り付けられる保持部材と、を含む
ことを特徴とする請求項２に記載の電子機器。
【請求項４】
前記係止片は、中間部に係止突起部を有し、
前記保持部材は、前記一の方向に移動させられたときに、戻る方向に移動するのを規制する前記係止片の前記係止突起部に係止される係止リブを有する
ことを特徴とする請求項３に記載の電子機器。
【請求項５】
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、当該キー部材の一の辺縁部に係止部を有し、
前記筐体は、
前記係止部と係合する係合部が、前記開口部の一の辺縁部に設けられ、
一の方向に移動可能であり前記キー部材の前記一の辺縁部に対向する他の辺縁部をロックするロック部が、前記開口部の前記一の辺縁部に対向する他の辺縁部に設けられていて、
前記開口部の前記他の辺縁部に凹部が設けられ、
密着部材を受ける外周縁部を有する孔部が、前記凹部の左右両側に設けられ、
前記ロック部は、
前記凹部に配置される係止片と、
前記孔部に配置される前記密着部材と、
前記キー部材の前記他の辺縁部を保持することで当該キー部材の前記開口部への装着状態を保持するために前記係止片及び前記密着部材を覆うように配置される部材であって、前記密着部材内に挿入される取付け部により、前記一の方向に移動可能に、前記筐体の前記孔部に取り付けられる保持部材と、を含む
ことを特徴とする電子機器。
【請求項６】
前記係止片は、中間部に係止突起部を有し、
前記保持部材は、前記一の方向に移動させられたときに、戻る方向に移動するのを規制する前記係止片の前記係止突起部に係止される係止リブを有する
ことを特徴とする請求項５に記載の電子機器。
【請求項７】
前記筐体は、前記開口部を有する前側筐体と前記前側筐体と合わせることで前記筐体を構成する後側筐体とを含み、
前記前側筐体には、前記開口部の周囲に断面コの字状の溝が形成され、
前記接点部材は、外周部の周囲に形成される前記コの字状の溝に挿入される外周リブを備え、
前記外周リブは、先端部が断面視で球形状の一部を成すような形状として前記外周リブの基端側より幅が広くなるように形成されていることを特徴とする請求項１から請求項６のいずれか１項に記載の電子機器。
【請求項８】
前記前側筐体及び前記後側筐体の外周に沿って設けられ、前記前側筐体と前記後側筐体の間に挟まれるパッキン部材を備え、
前記前側筐体及び前記後側筐体には、外周に沿って形成された前記パッキン部材の嵌め込まれる溝が形成されており、
前記筐体の上側及び下側の一部では、前記パッキン部材が外部から目視できるように露出しており、
前記前側筐体及び前記後側筐体は、前記露出する部分に対応する位置に設けられる前記パッキン部材を嵌め込む溝が、複数層形成され、
前記パッキン部材が、前記露出する部分に対応する部分の厚みが露出しない部分の厚みよりも厚くされるとともに、前記パッキン部材の前記厚みが厚くされる部分は、前記前側筐体及び前記後側筐体の複数層形成される前記パッキン部材を嵌め込む溝に対応した複数の線状リブが形成されていることを特徴とする請求項７に記載の電子機器。
【請求項９】
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、当該キー部材の一の辺縁部に係止部を有し、
前記筐体は、
前記係止部と係合する係合部が、前記開口部の一の辺縁部に設けられ、
一の方向に移動可能であり前記キー部材の前記一の辺縁部に対向する他の辺縁部をロックするロック部が、前記開口部の前記一の辺縁部に対向する他の辺縁部に設けられている
ことを特徴とする電子機器。
【発明の詳細な説明】
【技術分野】
【０００１】
本発明は、電子機器に関する。
【背景技術】
【０００２】
従来、電子機器に関し、防水、防塵構造について各種の技術が提案されている（例えば、特許文献１参照）。
【０００３】
特許文献１には、キー入力部、表示部、ソーラーパネルを回路基板と電気的に接続した状態で、これらキー入力部、表示部、ソーラーパネルをシート部材によって包み込んで密封した機器モジュールと、この機器モジュールが組み込まれる機器ケースとを備えた電子式卓上計算機が開示される。この電子式卓上計算機によれば、簡単な構造で、機器モジュールの防水性及び防塵性を確保することができる。
【先行技術文献】
【特許文献】
【０００４】
【特許文献１】特開２０１２―４３０８２号公報
【発明の概要】
【発明が解決しようとする課題】
【０００５】
しかしながら、特許文献１に開示される技術では、ゴミ等がキートップと機器ケースの隙間から浸入し、電子式卓上計算機の内部に詰まって入力不良が生じるおそれがある。このため、内部に浸入したゴミ等を取り除くことができるように、分解して掃除することができる電子式卓上計算機が要望されている。
【０００６】
本発明は、このような事情に鑑みなされたものであり、分解して掃除することにより、内部に浸入したゴミ等を取り除くことができる電子機器を提供することを目的とする。
【課題を解決するための手段】
【０００７】
本発明は、以下の構成によって把握される。
本発明の電子機器は、
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、
一端側にフランジ部を有し、前記キー操作部として設けられる押圧キーと、
前記押圧キーの他端側が挿入される前側開口であって当該前側開口の縁部により前記押圧キーの前記フランジ部を受ける前記前側開口と、当該前側開口の周囲に前記押圧キーの押圧時のストロークを確保するリブとが設けられた、前側半体と、
前記接点部材の前記接点部と前記押圧キーの前記一端とが接離可能となる後側開口を有し、前記前側半体との間に前記押圧キーの前記フランジ部が介在されるように当該前側半体に対して取付けられる、後側半体とを含むことを特徴とする。
本発明の別の電子機器は、
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、当該キー部材の一の辺縁部に係止部を有し、
前記筐体は、
前記係止部と係合する係合部が、前記開口部の一の辺縁部に設けられ、
前記開口部方向に移動可能であり前記キー部材の前記一の辺縁部に対向する他の辺縁部をロックするロック部が、前記開口部の前記一の辺縁部に対向する他の辺縁部に設けられていて、
前記開口部の前記他の辺縁部に凹部が設けられ、
密着部材を受ける外周縁部を有する孔部が、前記凹部の左右両側に設けられ、
前記ロック部は、
前記凹部に配置される係止片と、
前記孔部に配置される前記密着部材と、
前記キー部材の前記他の辺縁部を保持することで当該キー部材の前記開口部への装着状態を保持するために前記係止片及び前記密着部材を覆うように配置される部材であって、前記密着部材内に挿入される取付け部により、前記開口部方向に移動可能に、前記筐体の前記孔部に取り付けられる保持部材と、を含む
ことを特徴とする。
本発明のまた別の電子機器は、
開口部を有する筐体と、
前記筐体内に設けられる複数の電極部を有する基板と、
前記電極部に対応する複数の接点部を有し、前記開口部をシールするように設けられる接点部材と、
前記開口部に着脱可能に取付けられ、複数の前記接点部に対応したキー操作部を有するキー部材と、を備え、
前記キー部材は、当該キー部材の一の辺縁部に係止部を有し、
前記筐体は、
前記係止部と係合する係合部が、前記開口部の一の辺縁部に設けられ、
前記開口部方向に移動可能であり前記キー部材の前記一の辺縁部に対向する他の辺縁部をロックするロック部が、前記開口部の前記一の辺縁部に対向する他の辺縁部に設けられている
ことを特徴とする。
【発明の効果】
【０００８】
本発明によれば、分解して掃除することにより、内部に浸入したゴミ等を取り除くことができる電子機器を提供することができる。
【図面の簡単な説明】
【０００９】
【図１】本発明の実施形態に係る電子式卓上計算機の平面図である。
【図２】図１のＡ−Ａ線断面図である。
【図３】図１に示される電子式卓上計算機の分解斜視図である。
【図４】（ａ）は実施形態に係る前側筐体の平面図、（ｂ）は前側筐体の裏面図である。
【図５】（ａ）は実施形態に係る後側筐体の平面図、（ｂ）は後側筐体の裏面図である。
【図６】（ａ）は実施形態に係るパッキン部材の平面図、（ｂ）はパッキン部材の裏面図である。
【図７】（ａ）は実施形態に係る基板の平面図、（ｂ）は基板の裏面図である。
【図８】（ａ）は実施形態に係る接点部材の平面図、（ｂ）は接点部材の裏面図である。
【図９】（ａ）は図８（ａ）のＢ−Ｂ線断面図、（ｂ）は（ａ）の作用図、（ｃ）は比較例に係る外周リブの断面図、（ｄ）は（ｃ）の作用図である。
【図１０】（ａ）は実施形態に係る押圧キーの平面図、（ｂ）は押圧キーの裏面図である。
【図１１】（ａ）は実施形態に係る前側半体の平面図、（ｂ）は前側半体の裏面図である。
【図１２】（ａ）は実施形態に係る後側半体の平面図、（ｂ）は後側半体の裏面図である。
【図１３】（ａ）は実施形態に係る係止片の平面図、（ｂ）はＯリングの平面図である。
【図１４】（ａ）は実施形態に係るロックカバーの平面図、（ｂ）はロックカバーの裏面図である。
【図１５】電子式卓上計算機の作用説明図であり、図２に示す状態からロックカバーを移動させ、押圧キー部材を取り外す様子を示す図である。
【発明を実施するための形態】
【００１０】
以下、添付図面を参照して、本発明を実施するための形態（以下、「実施形態」と称する）として、電子機器を電子式卓上計算機に適用した構造について詳細に説明する。なお、実施形態の説明の全体を通して同じ要素には同じ番号を付している。
【００１１】
（電子式卓上計算機の全体構成）
まず、実施形態の電子式卓上計算機１０の全体構成を図１〜図３に基づいて説明する。
【００１２】
図１に示すように、実施形態の電子式卓上計算機１０は、四則演算や、その混合、応用計算などを行う略平板型のいわゆる電卓であり、表示部１１を有する本体部２０と、この本体部２０の前下部に入力部として設けられる押圧キー部材４０とによって構成される。
【００１３】
表示部１１は、液晶表示素子やＥＬ（エレクトロルミネッセンス）表示素子などの平面型の表示素子からなる表示画面を有する。表示画面は、押圧キー部材４０からの入力情報及び演算処理結果などを表す数字や文字、記号を電気光学的に表示する。なお、表示部１１の上側には、外部光を受光して発電するソーラーパネル１２を設けることができる。
【００１４】
図２に示すように、本体部２０は、筐体３０を備え、筐体３０は、開口部３１ａを有する前側筐体３１と、この前側筐体３１に合わさることで筐体３０全体を構成する後側筐体３２とからなる。そして、筐体３０は、その下部に、開口部３１ａの下辺側に設けられたロック部３３を備える。
【００１５】
さらに、図３に示すように、本体部２０は、前側筐体３１と後側筐体３２の間に挟まれるパッキン部材２１と、筐体３０内に設けられる基板２２と、開口部３１ａをシールするように設けられ、複数の接点部２３ａを有する接点部材２３とを備える。
【００１６】
また、電子式卓上計算機１０において、押圧キー部材４０は、キー操作部としてフランジ部４１ａを有する複数の押圧キー４１と、前側半体４２及び後側半体４３とにより構成される。複数の押圧キー４１、前側半体４２及び後側半体４３は、ビス１３などで締結された１つのユニットであり、開口部３１ａに着脱可能に取付けられている。また、ロック部３３は、開口部３１ａ方向に摺動可能で、押圧キー部材４０の下辺４０ａをロックする機能を有し、係止片３３ａ、Ｏリング３３ｂ及びロックカバー３３ｃで構成される。
【００１７】
（電子式卓上計算機の各部の構成）
次に、電子式卓上計算機１０の各部の構成を図４〜図１４に基づいて説明する。
図４（ａ）及び（ｂ）に示すように、前側筐体３１は、略四角形の開口部３１ａを有し、この開口部３１ａの上辺縁部に左右一対の係合部３１ｂを有する。この係合部３１ｂは、押圧キー部材４０の後側半体４３の凸部４３ａ（後述）を開口部３１ａの上辺縁部に係合する。また、前側筐体３１は、開口部３１ａの下側縁部に形成された凹部３１ｃと、この凹部３１ｃの左右両側に設けられた一対の長孔部３１ｄとを有する。各長孔部３１ｄは、Ｏリング３３ｂ（図３参照）を受ける縁部３１ｅを有する。
【００１８】
また、前側筐体３１には、開口部３１ａの周囲に断面コの字状（Ｕ字形状ともいう）の溝３１ｆが形成されている。さらに、前側筐体３１の周縁部には、パッキン部材２１（図３参照）の嵌め込まれる溝３１ｇが形成されている。前側筐体３１においてパッキン部材２１の露出する部分２１ａ（後述）に対応する位置（この例では、前側筐体３１の上部全体及び前側筐体３１の下部の両端部）では、溝３１ｇが複数層形成されている。
【００１９】
図５（ａ）及び（ｂ）に示すように、後側筐体３２は、前側筐体３１（図３参照）に後側から合わされる形状に形成される。後側筐体３２の周縁部には、パッキン部材２１の嵌め込まれる溝３２ｇが形成されている。後側筐体３２においてパッキン部材２１の露出する部分２１ａ（後述）に対応する位置（この例では、後側筐体３２の上部全体及び後側筐体３２の下部の両端部）では、前側筐体３１（図４（ｂ）参照）と同様に、溝３２ｇが複数層形成されている。後側筐体３２は、前側筐体３１との間でパッキン部材２１（図３参照）を挟持するように前側筐体３１の裏側にビス１３（図３参照）で締結される。
【００２０】
図６（ａ）及び（ｂ）に示すように、パッキン部材２１は、筐体３０（図２参照）の上側及び下側の一部（この例では、パッキン部材２１の上部全体及び筐体３０の下部の両端部）では、外部から目視できるように露出しており、この露出する部分２１ａに対応する部分の厚みｔ１は、露出しない部分の厚みｔ２よりも厚くされる。また、パッキン部材２１の厚みｔ１が厚くされる部分には、前側筐体３１及び後側筐体３２において複数層形成される溝３１ｇ（図４（ｂ）参照）及び溝３２ｇ（図５（ａ）参照）に対応した複数の線状リブ２１ｂが形成されている。
【００２１】
図７（ａ）及び（ｂ）に示すように、基板２２は、略正方形の外形を有する。基板２２には、複数の電極部（図示省略）が設けられており、基板２２では、接点部材２３の接点部２３ａ（後述）が電極部に押し付けられることにより、電極部が通電して、押圧キー４１（図３参照）のいずれのキーが押されたかが検知される。また、基板２２の裏側には、補助用電池１５（図３参照）が保持部材１６（図３参照）によって保持されている。補助用電池１５は、ソーラーパネル１２（図１参照）が機能しにくい暗い場所（例えば、建築中の建物の中など）で使用されるバックアップ用の電池として機能する。このように構成される基板２２は、その前面に接点部材２３（図３参照）が取り付けられた後、前側筐体３１（図３参照）との間で接点部材２３を挟持するように前側筐体３１の裏側にビス１３（図３参照）で締結される。
【００２２】
図８（ａ）及び（ｂ）に示すように、接点部材２３は、基板２２（図７参照）の外形に対応した略正方形の外形を有する。接点部材２３は、基板２２（図７参照）の電極部に対応する複数の接点部２３ａを有し、開口部３１ａ（図３参照）をシールするように設けられる。複数の接点部２３ａのそれぞれは、前側に突出して設けられる。また、接点部材２３は、外周部の周囲に形成される外周リブ２３ｂを備える。外周リブ２３ｂは、前側筐体３１のコの字状の溝３１ｆ（図４（ｂ）参照）に挿入される。なお、接点部材２３の構成材料には、ゴムなどの弾性材料を好適に用いることができる。
【００２３】
図９（ａ）に示すように、外周リブ２３ｂは、先端部が断面視で球形状の一部を成すような形状として、その基端側より幅が広くなるように形成されている。これにより、図９（ｂ）に示すように、外周リブ２３ｂは３方向から圧縮された状態で、コの字状の溝３１ｆとの隙間をシールする。
【００２４】
これに対し、図９（ｃ）に示すように、外周リブ２３ｃの端面のみを凸曲面状に形成することで、外周リブ２３ｃとコの字状の溝３１ｆとの隙間をシールすることも可能である。しかし、この場合、図９（ｄ）に示すように、外周リブ２３ｃが１方向のみから圧縮された状態で、外周リブ２３ｃとコの字状の溝３１ｆとの間をシールするため、高いシール性を得ることが難しい。
【００２５】
この点、外周リブ２３ｂでは、図９（ｂ）に示すように、外周リブ２３ｂを３方向から圧縮することができるので、外周リブ２３ｂとコの字状の溝３１ｆとの間に生じる隙間をより減らすことができる。その結果、高いシール性を得ることができる。
【００２６】
図１０（ａ）及び（ｂ）に示すように、複数の押圧キー４１は、複数の接点部２３ａ（図８（ａ）参照）に対応して配置されるものであり、複数の押圧キー４１のそれぞれは、後端側にフランジ部４１ａを有する。
【００２７】
図１１（ａ）及び（ｂ）に示すように、前側半体４２は、押圧キー４１のフランジ部４１ａ（図１０参照）を受ける縁部４２ａと、押圧キー４１の先端側が挿入される前側開口４２ｂと、前側開口４２ｂの周囲に設けられ、押圧キー４１の押圧時のストロークを確保するリブ４２ｃとを有する。
【００２８】
図１２（ａ）及び（ｂ）に示すように、後側半体４３は、その上辺に左右一対の凸部４３ａを有する。この凸部４３ａは、係合部３１ｂ（図４（ｂ）参照）によって開口部３１ａ（図４（ｂ）参照）の上辺縁部に係合される。後側半体４３は、前側半体４２（図３参照）に対して押圧キー４１（図３参照）の後端側から取付けられており、押圧キー４１の後端を受ける。また、後側半体４３は、接点部材２３の接点部２３ａ（図３参照）が押圧キー４１の後端に当接可能に挿入できる後側開口４３ｂを有する。
【００２９】
なお、複数の押圧キー４１、前側半体４２及び後側半体４３の構成材料には、各種の樹脂材料を好適に用いることができる。
【００３０】
図１３（ａ）に示すように、係止片３３ａは、凹部３１ｃ（図４（ａ）参照）に配置される部品であり、その中間部に側方に突出する係止突起部３３ａ１を有する。係止突起部３３ａ１は、係止片３３ａの左右両側に設けてもよいし、左右の一側のみに設けてもよい。図１３（ｂ）に示すように、Ｏリング３３ｂは、長孔部３１ｄ（図４（ａ）参照）の形状に合わせた楕円状に形成されている。
【００３１】
図１４（ａ）及び（ｂ）に示すように、ロックカバー３３ｃは、係止片３３ａ及びＯリング３３ｂ（図１３（ａ）及び（ｂ）参照）を覆うカバー体であり、裏面側に左右一対のネジ取付け部３３ｃ１（ボス部）が設けられる。また、左右一対のネジ取付け部３３ｃ１の間であって係止突起部３３ａ１（図１３（ａ）参照）に対応した位置には、少なくとも１つの係止リブ３３ｃ２（この例では、１つの係止リブ３３ｃ２）が設けられる。
【００３２】
ロックカバー３３ｃは、そのネジ取付け部３３ｃ１がＯリング３３ｂ（図３参照）内に挿入されるとともに、長孔部３１ｄ（図４（ａ）参照）にワッシャー１３ａ（図３参照）を介してビス１３（図３参照）でネジ止めされる。この際、ネジ取付け部３３ｃ１は、開口部３１ａ（図３参照）方向に移動可能にネジ止めされる。このようにネジ止めされたロックカバー３３ｃは、開口部３１ａ方向に移動させられたときに、押圧キー部材４０の下辺４０ａをロックするとともに、係止リブ３３ｃ２が係止突起部３３ａ１に係止される（図１３（ａ）参照）ことにより、戻る方向に移動することが規制されている。
【００３３】
（実施形態の効果）
以上、説明した実施形態の効果について述べる。
図１５に示すように、電子式卓上計算機１０では、ロックカバー３３ｃを開口部３１ａから離れる方向に摺動させることにより、押圧キー部材４０を本体部２０から容易に取り外すことができる。具体的には、ロックカバー３３ｃを、係止リブ３３ｃ２が係止突起部３３ａ１を乗り越えるように開口部３１ａから離れる方向に摺動させ、ロックカバー３３ｃによるロックから押圧キー部材４０の下辺４０ａを解放した後、押圧キー部材４０を、その上辺を支点に回動させながら、凸部４３ａを係合部３１ｂから外す。これにより、押圧キー部材４０を本体部２０（この例では、前側筐体３１）から引き抜くことができる。
【００３４】
したがって、本実施形態では、電子式卓上計算機１０を本体部２０と押圧キー部材４０とに分解し、押圧キー部材４０を洗浄したり接点部材２３の表面を拭いたりすることで、簡単に掃除することができ、内部に浸入したゴミ等を容易に取り除くことができる。
【００３５】
また、外周リブ２３ｂを３方向から圧縮することができるので、外周リブ２３ｂとコの字状の溝３１ｆとの間に生じる隙間をより減らすことができる。その結果、高いシール性を得ることができ、より確実な防水性能及び防塵性能を実現することができる。
【００３６】
また、パッキン部材２１の厚みｔ１が厚くされる部分では、前側筐体３１及び後側筐体３２の複数層形成される溝３１ｇ，３２ｇと、パッキン部材２１の複数の線状リブ２１ｂとを嵌め合せるため、複雑に形成される迂回構造によって高い防水性能及び防塵性能が得られ、しかもパッキン部材２１が前側筐体３１及び後側筐体３２から外れにくくなる効果が得られる。また、上記では電子式卓上計算機を例にして説明したが、キーを有する電子辞書、携帯電話等の他の電子機器に適用できることは言うまでもない。更に、着脱可能な押圧キー部材４０は、個別にキーを備えたものではなく、キー操作部が弾性変形するシート状の構成としたキー部材とすることも可能である。
【００３７】
以上、本発明の実施形態及びその変形例を説明したが、本発明の範囲は、上述の実施形態に限定するものではなく、特許請求の範囲に記載された発明の範囲をその均等の範囲を含む。
【００３８】
以下に、この出願の願書に最初に添付した特許請求の範囲に記載した発明を付記する。付記に記載した請求項の項番は、この出願の願書に最初に添付した特許請求の範囲の通りである。
＜請求項１＞
開口部を有する筐体と、
前記筐体内に設けられる複数の電極部を有する基板と、
前記電極部に対応する複数の接点部を有し、前記開口部をシールするように設けられる接点部材と、
前記開口部に設けられ、複数の前記接点部に対応したキー操作部を有するキー部材と、を備え、
前記押圧キー部材が、前記開口部に着脱可能に取付けられていることを特徴とする電子機器。
＜請求項２＞
前記キー部材が、上辺に凸部を有し、
前記筐体が、前記開口部の上辺縁部に前記凸部を係合する係合部と前記開口部の下辺側に設けられた前記開口部方向に摺動可能な前記キー部材の下辺をロックするロック部と、を備えることを特徴とする請求項１に記載の電子機器。
＜請求項３＞
前記筐体には、前記開口部の下側縁部に形成された凹部と前記凹部の左右両側に設けられたＯリングを受ける縁部を有する長孔部とが形成され、
前記ロック部が
前記凹部に配置される係止片と、
前記長孔部に配置される前記Ｏリングと、
前記係止片及び前記Ｏリングを覆うように配置され、前記Ｏリング内に挿入されるネジ取付け部で前記開口部方向に移動可能に前記筐体の前記長孔部にネジ止めされる、前記キー部材の下辺をロックするロックカバーと、からなり、
前記係止片が、中間部に係止突起部を有し、
前記ロックカバーが、前記開口部方向に移動させられたときに、戻る方向に移動するのを規制する前記係止片の前記係止突起部に係止される係止リブを有することを特徴とする請求項２に記載の電子機器。
＜請求項４＞
前記キー部材が
前記キー操作部に設けられる後端側にフランジ部を有する押圧キーと、
前記押圧キーのフランジ部を受ける縁部が設けられた前記押圧キーの先端側が挿入される前側開口と前記押圧キーの押圧時のストロークを確保するリブが前記前側開口の周囲に設けられた前側半体と、
前記前側半体に対して前記押圧キーの後端側から取付けられ、前記押圧キーの後端を受けるとともに、前記接点部材の前記接点部が前記押圧キーの後端に当接可能に挿入できる後側開口を有する後側半体とからなることを特徴とする請求項１から請求項３のいずれか１項に記載の電子機器。
＜請求項５＞
前記筐体は、前記開口部を有する前側筐体と前記前側筐体と合わせることで前記筐体を構成する後側筐体とからなり、
前記前側筐体には、前記開口部の周囲に断面コの字状の溝が形成され、
前記接点部材は、外周部の周囲に形成される前記コの字状の溝に挿入される外周リブを備え、
前記外周リブは、先端部が断面視で球形状の一部を成すような形状として前記外周リブの基端側より幅が広くなるように形成されていることを特徴とする請求項１から請求項４のいずれか１項に記載の電子機器。
＜請求項６＞
前記前側筐体及び前記後側筐体の外周に沿って設けられ、前記前側筐体と前記後側筐体の間に挟まれるパッキン部材を備え、
前記前側筐体及び前記後側筐体には、外周に沿って形成された前記パッキン部材の嵌め込まれる溝が形成されており、
前記筐体の上側及び下側の一部では、前記パッキン部材が外部から目視できるように露出しており、
前記前側筐体及び前記後側筐体は、前記露出する部分に対応する位置に設けられる前記パッキン部材を嵌め込む溝が、複数層形成され、
前記パッキン部材が、前記露出する部分に対応する部分の厚みが露出しない部分の厚みよりも厚くされるとともに、前記パッキン部材の前記厚みが厚くされる部分は、前記前側筐体及び前記後側筐体の複数層形成される前記パッキン部材を嵌め込む溝に対応した複数の線状リブが形成されていることを特徴とする請求項５に記載の電子機器。
＜請求項７＞
周囲に溝が形成されている開口部を有する筐体と、
前記筐体内に設けられる複数の電極部を有する基板と、
前記電極部に対応する複数の接点部を有し、前記開口部の周囲に形成された前記溝に挿入される外周リブを備え、前記開口部をシールするように設けられる接点部材と、
前記開口部に設けられ、複数の前記接点部に対応した押圧キーを有する押圧キー部材と、を備えたことを特徴とする電子機器。
＜請求項８＞
前記筐体の前記開口部の下辺側に設けられ、前記押圧キー部材をロックするロック部を備え、
前記ロック部によるロックが解除されることにより、前記押圧キー部材が前記開口部に着脱可能となっていることを特徴とする請求項７に記載の電子機器。
【符号の説明】
【００３９】
１０      電子式卓上計算機
２０      本体部
２１      パッキン部材
２１ａ    露出する部分
２１ｂ    線状リブ
ｔ１      厚み
ｔ２      厚み
２２      基板
２３      接点部材
２３ａ    接点部
２３ｂ    外周リブ
３０      筐体
３１      前側筐体
３１ａ    開口部
３１ｂ    係合部
３１ｃ    凹部
３１ｄ    長孔部
３１ｅ    縁部
３１ｆ    溝
３１ｇ    溝
３２      後側筐体
３２ｇ    溝
３３      ロック部
３３ａ    係止片
３３ａ１  係止突起部
３３ｂ    Ｏリング
３３ｃ    ロックカバー
３３ｃ１  ネジ取付け部
３３ｃ２  係止リブ
４０      押圧キー部材
４０ａ    下辺
４１      押圧キー
４１ａ    フランジ部
４２      前側半体
４２ａ    縁部
４２ｂ    前側開口
４２ｃ    リブ
４３      後側半体
４３ａ    凸部
４３ｂ    後側開口
【図１】
0006020616.tif 000002
【図２】
0006020616.tif 000003
【図３】
0006020616.tif 000004
【図４】
0006020616.tif 000005
【図５】
0006020616.tif 000006
【図６】
0006020616.tif 000007
【図７】
0006020616.tif 000008
【図８】
0006020616.tif 000009
【図９】
0006020616.tif 000010
【図１０】
0006020616.tif 000011
【図１１】
0006020616.tif 000012
【図１２】
0006020616.tif 000013
【図１３】
0006020616.tif 000014
【図１４】
0006020616.tif 000015
【図１５】
0006020616.tif 000016